(57)【要約】      （修正有）【課題】釣り人が針掛りした釣魚に直接手で触れることなく釣魚から釣針を容易に外すことができる釣魚の釣針外し具を提供する。【解決手段】釣魚の釣針外し具１６の内部は空洞であってその上端部分に円錐部１６Ａとその下端部分に円筒体部１６Ｂを形成し、該円筒体部１６Ｂの下縁１６ａは裾広状に形成し、釣魚１８を該円筒体部１６Ｂ内に挿入し易く構成している。また釣魚の釣針外し具１６は長さ方向に下端部分から上端部分に向かってやや幅広に形成した第１スリット１７ａと該第１スリット１７ａにつながりかつ釣糸２０が規制されるようにやや幅狭に上端に形成した第２スリット１７ｂを有し、該第１スリット１７ａの下端部分は釣糸２０を挿入し易く側面形状がＶ字形釣糸挿入口１７ｃを形成している。【選択図】図１
0003158186.tif 000002
【実用新案登録請求の範囲】
【請求項１】
釣り人が把持可能な円筒体部と該円筒体部の上方に形成した円錐部とでなりかつ釣魚を挿入可能にした略筒状体の釣魚外し具であって、前記円錐部の上端に開口を及び前記円筒体部の下縁を裾広状に形成し前記略筒状体の長さ方向に幅広の第１スリットと、該第１スリットと連通する幅狭の第２スリットとを有しかつ前記円筒体部の下端に側面形状がＶ字形釣糸挿入口を形成すると共に円筒体部の内壁に複数段の小突起を周設したことを特徴とする釣魚の釣針外し具。
【考案の詳細な説明】
【技術分野】
【０００１】
本考案は、釣り人が針がかりした釣魚に直接手で触れることなく釣魚から釣針を容易に外すことができる釣魚の釣針外し具に関する。
【背景技術】
【０００２】
従来、この種の技術としては例えば図４及び図５に示す特開平１１−２２５６４１号公開特許公報に開示された技術がある。これについて説明すれば、釣魚外し具１は筒状に形成されかつ例えばポリ塩化ビニルシート材で主に構成された手袋着体２と、該手袋着体２の被掌部３に取付られて釣魚に掛かった釣針を掛止する針掛止棒７とを備えている。被甲部４の一部は例えば糸ゴムを綿糸とともに織り込んでなる伸縮部５として構成されている。また、手甲の第１関節と対面する部分の被甲部４には、横に長いスリット部６が形成されている。そして、手装着体２の小指側を被う部分は、手から抜け落ちないよう、幾分丸みを帯びて膨出させてある。針掛止棒７は、四本指長手方向と直角横向きすなわち、掌の遠位手掌皮線ないし近位手掌皮線に沿って手装着体２の被掌部３に取り付けられる棒本体１０と、棒本体１０から先ず人差指先端側に向けて屈曲しその後親指側へフック先端８を折り返して形成された略Ｕ字状のフック部９とから構成されている。
【０００３】
針掛止棒７は、固定布材１２により被われ縫糸１３で縫着されて被掌部３に取り付けられている。棒本体１０には複数の張出部１１が形成されており、針掛止棒７が固定布材１２から抜脱しないようになっている。この針掛止棒７のフック部９は、図４に示す親指Ｓと人差指Ｍの間の空間に掌から突出して配置されている。また、フック部９は手装着体２に手を装着した状態で親指Ｓが届く位置に配置されている。そして魚を釣り上げたときは、図５に示すように、釣竿からの釣糸１４に針掛止棒７のフック部９を引っ掛けて手前に引き寄せる。そして、釣針１５が掛かった釣魚Ｆの口元までフック部９を滑らせて、左手に持った釣糸１４を少し下に降ろす。同時に針掛止棒７を釣魚Ｆとともに上に持ち上げると、釣糸１４は左手で持った部分が下になってＶ字状になる。すると、釣針１５はその湾曲部分がフック部９を跨いだ状態で掛止され、針先は釣魚Ｆの体重により自然と下向きになる。これにより、釣魚Ｆが少し跳ね動いたり、あるいは右手を軽く上下させるだけで、釣魚Ｆは自重により釣針１５から外れて落下する。
【先行技術文献】
【特許文献】
【０００４】
【特許文献１】特開平１１−２２５６４１号公開特許公報
【考案の概要】
【考案が解決しようとする課題】
【０００５】
従来の技術は叙上の構成であるので次の課題が存在した。
すなわち上述した従来技術に於いては、釣り人の手の大きさはまちまちであり伸縮部５を備えているとしても筒状でなる釣魚外し具１を各釣り人の手に合わせて製作する必要があるうえに、該釣魚外し具１は長いスリット部６や針掛止棒７を固定する固定布材１２を備えなければならない。従って該釣魚外し具１は複雑な構造であり、製作工数が大幅に増加し量産性に欠けるという問題点があった。加えて使用頻度が増えるに従い針掛止棒７が固定布材１２から離脱する惧れがあり釣魚外し具１の機能を果たすことができないという隘路があった。また針掛止棒７から釣魚Ｆの口から外すとき釣魚Ｆが暴れ迅速かつ容易に該釣魚Ｆを釣箱に収容することができないという問題点があった。
【課題を解決するための手段】
【０００６】
本考案に係る釣魚の釣針外し具は叙上の問題を解決すべく考案したものであり、次の構成、手段から成立する。
すなわち請求項１記載の考案によれば、釣り人が把持可能な円筒体部と該円筒体部の上方に形成した円錐部とでなりかつ釣魚を挿入可能にした略筒状体の釣魚外し具であって、前記円錐部の上端に開口を及び前記円筒体部の下縁を裾広状に形成し前記略筒状体の長さ方向に幅広の第１スリットと、該第１スリットと連通する幅狭の第２スリットとを有しかつ前記円筒体部の下端に側面形状がＶ字形釣糸挿入口を形成すると共に円筒体部の内壁に複数段の小突起を周設したことを特徴とする。
【考案の効果】
【０００７】
本考案に係る釣魚の釣針外し具は叙上の構成を有するので次の効果がある。
【０００８】
請求項１記載の考案によれば、釣り人が把持可能な円筒体部と該円筒体部の上方に形成した円錐部とでなりかつ釣魚を挿入可能にした略筒状体の釣魚外し具であって、前記円錐部の上端に開口を及び前記円筒体部の下縁を裾広状に形成し前記略筒状体の長さ方向に幅広の第１スリットと、該第１スリットと連通する幅狭の第２スリットとを有しかつ前記円筒体部の下端に側面形状がＶ字形釣糸挿入口を形成すると共に円筒体部の内壁に複数段の小突起を周設したことを特徴とする釣魚の釣針外し具を提供する。
このような構成としたので、釣り人は釣魚の釣針外し具を片手で把持した状態で釣魚に直接触れることなく釣魚の釣針外し具の円筒体部に容易にかつ迅速に引込むことが可能となり、釣魚の口に係止した釣針を簡単に掛外すことができるという効果がある。また、釣魚の釣針外し具の円筒体部の内壁に複数の小突起を周設したので、釣魚の釣針外し具の円筒体部内で釣魚が暴れることなくかつ複数の小突起の相互間に空間が生じ、その空間によって該円筒体部の内壁面に密着することなく釣魚を円錐部の開口まで容易にかつ迅速に引上げることができるという効果がある。
【図面の簡単な説明】
【０００９】
【図１】本考案に係る釣魚の釣針外し具内に釣魚を引込み釣り人が釣針を釣魚から掛外しをする状態を示す正面図である。
【図２】本考案に係る釣魚の釣針外し具の中央部分を破断し内部の形状・構造を明確化した正面図である。
【図３】本考案に係る釣魚の釣針外し具を釣魚捕獲ケース（捕獲容器）に係止した状態を示す斜視図である。
【図４】従来の技術に於ける釣魚外し具の一例を示すものであって全体の構造を示す斜視図である。
【図５】従来の技術に於ける釣魚外し具のフック部に釣針を掛けた態様を示す斜視図である。
【考案を実施するための形態】
【００１０】
以下、本考案に係る釣魚の釣針外し具に於ける実施の形態を添付図面に基づき詳細に説明する。
図１は本考案に係る釣魚の釣針外し具内に釣魚を引込み釣り人が釣針を釣魚から掛外しをする状態を示す正面図である。図２は釣魚の釣針外し具の中央部分を破断し内部の形状・構造を明確化した正面図である。図３は釣魚の釣針外し具を釣魚捕獲ケース（捕獲容器）に係止した状態を示す斜視図である。
１６は釣魚の釣針外し具であり先端部分を略円錐形にした筒状体で構成する。該釣魚の釣針外し具１６は例えばアルミニウム（Ａｌ）、鉄（Ｆｅ）その他の金属板を加工して図１及び図２に示す形状に成形する。また該釣魚の釣針外し具１６の材料は前述した金属製によらず半透明又は透明の樹脂材料や木製であってもよい。釣魚の釣針外し具１６は縦方向（長さ方向）に上端から下端までスリット１７を形成している。該スリット１７は下端部分から上端部分に向かって幅広又はやや幅広に形成した第１スリット１７ａと該第１スリット１７ａにつながりかつ釣糸２０が規制されるように幅狭又はやや幅狭に上端に形成した第２スリット１７ｂを有している。前記第１スリット１７ａの下端部分は釣糸２０を挿入し易く側面形状がＶ字形釣糸挿入口１７ｃを形成している。前述したように釣魚の釣針外し具１６は内部は空洞であってその上端部分に円錐部１６Ａとその下端部分に円筒体部１６Ｂを形成している。そして円筒体部１６Ｂの下縁１６ａは裾広状に形成し、釣魚１８を釣魚の釣針外し具１６の円筒体部１６Ｂ内に挿入し易く構成している。
【００１１】
前記釣魚の釣針外し具１６の円筒体部１６Ｂの内壁１６ｂには図２に示すように複数段の小突起１６ｃを周設している。このように構成したので釣魚１８が釣魚の釣針外し具１６の円筒体部１６Ｂ内に挿入した後、釣魚１８の皮膚が粘・柔軟着質であってもこの小突起
１６ｃがこれに抵抗して円滑に該釣魚１８の魚口を円錐部１６Ａの上端まで容易に引上げることができる。１６Ｃは係止部であり釣魚の釣針外し具１６の円錐部１６Ａ又は円筒体部１６Ｂの外壁面に一体形成し又は固定している。該係止部１６Ｃは図３に示すように釣魚を捕獲して持ち帰るための釣魚捕獲ケース（捕獲容器）１９の上縁部１９ａに係止する。１９ｂは釣魚捕獲ケース１９を持ち運ぶための把手である。
尚、図１、図２に於いて１７ｄ、１７ｄは前記第１スリット１７ａの上端と連通する第２スリット１７ｂとの間に形成した対向斜面１７ｄ、１７ｄであり、釣糸２０が第１スリット１７ａから第２スリット１７ｂに引上げられる際、この対向斜面１７ｄ、１７ｄにガイドされて円滑に第２スリット１７ｂに伝導しかつ開口１６ｄまで引上げられる。
【００１２】
次に上述した構成に基づき本考案に係る釣魚の釣針外し具の実施の形態による釣り操作手順や動作等を説明する。
釣り人は片手で当該釣魚の釣針外し具１６を把持すると共に一方の手で釣針２１を釣魚１８の口に引掛けた状態で釣糸２０を引上げる。このとき該釣糸２０は図１に示すようにＶ字形釣糸挿入口１７ｃから第１スリット１７ａを経由して対向斜面１７ｄ、１７ｄを伝導させながら第２スリット１７ｂに這入りこませる。そこで釣魚１８は釣魚の釣針外し具１６の下縁１６ａから円筒体部１６Ｂ内に引込まれる。そして釣魚１８の口が開口１６ｄまで引上げられ、釣り人は釣針２１を釣魚１８の口から掛外す。
【００１３】
このようにしたので釣り人は釣魚の釣針外し具１６を片手で把持した状態で釣魚１８を釣魚の釣針外し具１６の円筒体部１６Ｂ部に容易にかつ迅速に引込むことが可能となり、釣魚１８の口に係止した釣針２１を簡単に掛外すことができる。また、釣魚の釣針外し具１６の円筒体部１６Ｂの内壁１６ｂに複数の小突起１６ｃを周設したので、釣魚の釣針外し具１６の円筒体部１６Ｂ内で釣魚１８が暴れることなくかつ複数の小突起１６ｃの相互間に空間が生じ、その空間によって該円筒体部１６Ｂの内壁面に密着することなく釣魚１８を円錐部１６Ａの開口１６ｄまで容易に迅速に引上げることができる。
【産業上の利用可能性】
【００１４】
本考案はワカサギなどの釣魚のほか、どじょうやうなぎなど特に釣り人がその魚体を把持しにくい釣魚の釣針の掛外しに利用できる。
【符号の説明】
【００１５】
１６      釣魚の釣針外し具
１６Ａ    円錐部
１６Ｂ    円筒体部
１６Ｃ    係止部
１６ａ    下縁
１６ｂ    内壁
１６ｃ    小突起
１６ｄ    開口
１７      スリット
１７ａ    第１スリット
１７ｂ    第２スリット
１７ｃ    Ｖ字形釣糸挿入口
１７ｄ    対向斜面
１８      釣魚
１９      釣魚捕獲ケース
１９ａ    釣魚捕獲ケースの上縁部
１９ｂ    把手
２０      釣糸
２１      釣針
【図１】
0003158186.tif 000003
【図２】
0003158186.tif 000004
【図３】
0003158186.tif 000005
【図４】
0003158186.tif 000006
【図５】
0003158186.tif 000007